(57)【要約】【課題】炭火コンロ内に空気を供給することができ、かつ炭火コンロを使用者にとって最適な位置に移動させることが可能な送風機付き炭火ロースターを提供する。【解決手段】空気口４ａを有する七輪４がコンロ受容器２に挿嵌されている。コンロ受容器２の長手方向の両側面には、たれ壁状のスライド板２ｄが設けられており、スライド板２ｄはダクト９の上部面９ｇ上にスライド可能に載置され、これによりコンロ受容器２は上部面９ｇ上をスライドしながら往復運動可能とされている。コンロ受容器２の側壁２ｂには、七輪４の空気口４ａと連通する連通口２ｃが設けられている。連通口２ｃは送風口９ｅ、ダクト９、ダクト６ａ、６ｂを介して送風機７ａ、７ｂに接続されている。連通口２ｃと送風口９ｅとはコンロ受容器２の存在位置にかかわらず連通状態となるようにされている。【選択図】図１
2006204654.tif 000002
【特許請求の範囲】
【請求項１】
空気口を有する炭火コンロが挿嵌されたコンロ受容器がハウジング内で往復移動可能に備えられており、該コンロ受容器には該ハウジングの内壁と略隙間のない状態で平行に対面する受容器側壁が設けられており、該受容器側壁は該炭火コンロの該空気口と連通する連通口を有しており、該ハウジングの内壁は送風路を介して送風機に接続された送風口を有しており、該連通口と該送風口とは該コンロ受容器の存在位置にかかわらず連通状態となるようにされていることを特徴とする送風機付き炭火ロースター。
【請求項２】
ハウジング内に複数個のコンロ受容器を備えていることを特徴とする請求項１又は２記載の送風機付き炭火ロースター。
【請求項３】
互いに連結可能とする連結具が設けられていることを特徴とする請求項１乃至３のいずれか１項記載の送風機き付炭火ロースター。
【発明の詳細な説明】
【技術分野】
【０００１】
本発明は、送風機付き炭火ロースターに関する。
【背景技術】
【０００２】
従来、七輪等の炭火コンロの空気口に送風機から空気を送り込む、送風機付き炭火ロースターが知られている（例えば特許文献１〜３）。
【特許文献１】特開２００４−２１８９８７号公報
【特許文献２】特開２００２−２０９７５７号公報
【特許文献３】特開２００２−２０９７５９号公報
【０００３】
上記送風機付き炭火ロースターは、送風機から炭火コンロ内に送風することによって、炭火をより速く起こすことができる。また、送風機からの送風量を調整することにより、火力の調整を簡単に行うことができる。
【発明の開示】
【発明が解決しようとする課題】
【０００４】
しかし、従来の送風機付き炭火ロースターは固定して使用されるため、多人数で使用する場合に、炭火コンロから遠い位置に座った人にとって使い難いものであった。特に、送風機付き炭火ロースターをカウンターのような細長い場所に設置した場合、このような不具合が顕著となりやすい。
【０００５】
本発明は、上記従来の問題点を解決するためになされたもので、炭火コンロ内に空気を供給することができ、かつ炭火コンロを使用者にとって最適な位置に移動させることが可能な送風機付き炭火ロースターを提供することを目的とする。
【課題を解決するための手段】
【０００６】
本発明の送風機付き炭火ロースターは、空気口を有する炭火コンロが挿嵌されたコンロ受容器がハウジング内で往復移動可能に備えられており、該コンロ受容器には該ハウジングの内壁と略隙間のない状態で平行に対面する受容器側壁が設けられており、該受容器側壁は該炭火コンロの該空気口と連通する連通口を有しており、該ハウジングの内壁は送風路を介して送風機に接続された送風口を有しており、該連通口と該送風口とは該コンロ受容器の存在位置にかかわらず連通状態となるようにされていることを特徴とする。
【０００７】
本発明の送風機付き炭火ロースターでは、七輪等の炭火コンロがコンロ受容器に挿嵌された状態で、ハウジング内を往復移動可能とされている。このため、使用者の座る位置に応じて、炭火コンロを自由に移動させることができる。また、送風機から供給された空気は、送風路及び送風口を通り、さらに送風口に連通する受容器側壁の連通口から炭火コンロの空気口に供給される。また、ハウジングの内壁と受容器側壁とはほとんど隙間のない状態で平行に対面しているため、送風機から送風口に供給された空気は、ほとんど漏れることなく連通口を通って空気口から炭火コンロ内に供給される。このため、送風機を制御することによって、炭火コンロ内の炭を速く起こしたり、火力を調整することを容易に行うことができる。しかも、連通口と送風口とは、コンロ受容器の存在位置にかかわらず連通状態となるようにされているため、コンロ受容器をどこにおいても、送風機から炭火コンロ内部へ空気を供給することが可能となる。
【０００８】
したがって、本発明の送風機付き炭火ロースターは、炭火コンロ内に空気を供給することができ、かつ炭火コンロを使用者にとって最適な位置に移動させることができる。
【０００９】
コンロ受容器をハウジング内で往復移動可能に備えるための構造としては、ハウジング内に設けられた互いに平行する２本のレール上にコンロ受容器を載せ、スライドさせる構造としたり、ラックとピニオンの組み合わせによって移動可能とさせたり、コンロ受容器に車輪を設けて移動可能にする等の構造とすることができる。
【００１０】
また、ハウジング内に複数個のコンロ受容器を備えることも可能である。こうであれば、より多人数に対応可能な送風機付き炭火ロースターとすることができる。
【００１１】
さらに、送風機付き炭火ロースターに連結具を設け、互いに連結可能とすることもできる。こうであれば、例えば細長いカウンターに設置する場合に、その長さに応じてコンロを容易に延長させることができる。
【発明を実施するための最良の形態】
【００１２】
以下、本発明を具体化した実施例の送風機付き炭火ロースターについて図面を参照しつつ詳述する。
【００１３】
実施例の送風機付き炭火ロースターは、図１及び図２に示すように、上部が長方形型に開口された略直方体容器形状のハウジング１内に、２つのコンロ受容器２、３が長手方向に並んで備えられている。図３及び図４に示すように、コンロ受容器２は略直方体容器形状をなし、上面は円形の開口２ａを有している。開口２ａには七輪４が挿嵌可能とされており、七輪４の側面には空気口４ａが設けられている。コンロ受容器２の長手方向の一方の側壁２ｂには連通口２ｃが長手方向に細長く延在して設けられている。また、図２に示すように、コンロ受容器２の下方部分は少し幅が狭くされており、その段差部分には垂れ壁状のスライド板２ｄが長手方向に延在して設けられている。図３に示すように、コンロ受容器２の幅方向の側壁の上端寄りには取手２ｅ、２ｆが設けられている。なお、コンロ受容器３はコンロ受容器２と全く同じ構造とされており、説明を省略する。
【００１４】
図１及び図２に示すように、ハウジング１は、外郭をなすハウジング本体１ａと、ハウジング本体１ａの内部に挿嵌される内箱１ｂとの二重構造とされており、内箱１ｂはハウジング本体１ａから取り外すことが可能とされている。ハウジング本体１ａの長手方向の側壁の左右２箇所には、下方から上方へ側壁の途中まで延在してダクト６ａ、６ｂが設けられており、ダクト６ａ、６ｂの下端は送風機７ａ、７ｂに接続されている。また、ダクト６ａ、６ｂの上端は、内箱１ｂの方向に向かって突出する断面ロ字形状の突出口８ａ、８ｂが設けられている。内箱１ｂの下端には、長手方向に延在するダクト９が設けられており、ダクト９には下方に向けて開口する断面コ字形状の突出口９ａ、９ｂが突出口８ａ、８ｂと整合する位置に設けられており、内箱１ｂをハウジング本体１ａに挿嵌した状態において、突出口９ａ、９ｂと突出口８ａ、８ｂとが略隙間のない状態で連結されるようになっている。ダクト９は中央部分で間仕切り９ｃ（図１参照）により仕切られている。図２に示すように、ダクト９のコンロ受容器２、３側の側壁９ｄは、コンロ受容器２、３の側壁２ｂ、３ｂと略隙間のない状態で平行に対面しており、図１に示すように、正方形状に開口する送風口９ｅ、９ｆが連通口２ｃと整合する位置に、仕切り板９ｃに近接して左右２箇所に設けられている。また、ダクト９の上部面９ｇは細長い帯状平面とされており、図２に示すように、コンロ受容器２のスライド板２ｄが上部面９ｇ上にスライド可能に載置されている。
【００１５】
ハウジング本体１ａの底板１ｃの中央には、エアフィルター１０が取り付けられており、エアフィルター１０は調整ダンパ１２及び排気ダクト１３を介して図示しない排気ファンに接続されている。ハウジング本体１ａの上端には排気カバー１ｄ、１ｅが長手側の両端に載置されており、排気カバー１ｄ、１ｅどうしが対面する側には無数の排気口１ｆ、１ｇが１列に並んで設けられている。また、ハウジング本体１ａの幅方向の側壁の一方の上端には、Ｕ字金具１４が幅方向に延在して取り付けられており、他方の側壁の上端にはＵ字金具１５がＵ字金具１４と逆向きに幅方向に延在して取り付けられている。
【００１６】
以上のように構成された実施例の送風機付き炭火ロースターを使用する場合には、まず、図５に示すように、片方のコンロ受容器を取り外す。そして、七輪４を右手方向に移動させたい場合には、取手２ｆを持ち、長手方向に力を加える。これにより、図６に示すようにスライド板２ｄがダクト９の上部面９ｇを滑ってコンロ受容器２が矢印方向に移動し、図７に示す状態となる。また、図７の状態から七輪４を左手方向に移動させたい場合には、取手２ｅを持って左手方向に力を加える。これにより、コンロ受容器２は図６に示す方向に移動する。こうして、七輪４を使用者の望む位置に簡単に移動させることができる。
【００１７】
七輪４の位置を決めたら、その中へ火のついた炭火を入れ、送風機７ａを駆動させる。これにより、送風機７ａから供給された空気は、ダクト６ａを上昇し、突出口８ａ及び突出口９ａからダクト９内に入る。さらに、ダクト９の送風口９ｅから連通口２ｃを通って七輪４の空気口４ａに入り、七輪４内に流入する。こうして七輪４内の炭火を起こすことができる。この場合において、連通口２ｃは長手方向に長細い形状をしているため、コンロ受容器２が左のほうに置かれている図６の状態であっても、右のほうに置かれている図７の状態であっても、連通口２ｃと送風口９ｅとが連通状態とされている。このため、コンロ受容器２の位置にかかわらず、送風機７ａから供給される空気を七輪４内に送ることができる。
【００１８】
また、送風機７ａとともに排気ファンを駆動することにより、七輪４から発生する煙は図５に示す排気口１ｆ、１ｇから吸気され、エアフィルター１０を通って浄化された排ガスが排気ダクト１３を介して排気される。このため、使用者は煙に煩わされることなく調理することができる。
【００１９】
一方、使用者がさらにたくさんいる場合には、ハウジング１内に二つのコンロ受容器２、３を置くことによって、２台の七輪を設置することもできる（図１参照）。また、さらにたくさんの七輪を直列に並べて設置したい場合には、複数の送風機付き炭火ロースターを用意し、その一方に設けられているＵ字金具１５を他方に設けられているＵ字金具１４に嵌合させることにより、送風機付き炭火ロースターを直列に連結することができる。これにより、細長いカウンター形式の居酒屋などに好適に用いることができる。
【産業上の利用可能性】
【００２０】
本発明の送風機付き炭火ロースターは、炭火焼の料理を調理するための調理器の製造産業やそれらの料理を提供する飲食産業等にに利用可能である。
【図面の簡単な説明】
【００２１】
【図１】実施例の送風機付き炭火ロースターの正面図である。
【図２】実施例の送風機付き炭火ロースターの側面方向から見た一部断面図である。
【図３】七輪を挿嵌した状態のコンロ受容器の正面図である。
【図４】七輪を挿嵌しない状態のコンロ受容器の平面図である。
【図５】コンロ受容器の片方を取り外した状態の送風機付き炭火ロースターの正面図である。
【図６】実施例の送風機付き炭火ロースターの要部正面図である。
【図７】実施例の送風機付き炭火ロースターの要部正面図である。
【符号の説明】
【００２２】
４ａ…空気口
４…七輪（炭火コンロ）
２、３…コンロ受容器
１…ハウジング（１ａ…ハウジング本体、１ｂ…内箱）
９ｄ…側壁（ハウジングの内壁）
２ｂ、３ｂ…側壁（受容器側壁）
２ｃ…連通口
６ａ、６ｂ、８ａ、８ｂ、９ａ、９ｂ、９…送風路（６ａ、６ｂ…ダクト、８ａ、８ｂ…突出口、９ａ、９ｂ…突出口、９…ダクト）
７ａ、７ｂ…送風機
９ｅ、９ｆ…送風口
１４、１５…Ｕ字金具（連結具）
【図１】
2006204654.tif 000003
【図２】
2006204654.tif 000004
【図３】
2006204654.tif 000005
【図４】
2006204654.tif 000006
【図５】
2006204654.tif 000007
【図６】
2006204654.tif 000008
【図７】
2006204654.tif 000009